(57)【要約】      （修正有）【課題】簡単な構成により、介装部材同士で構成されるコーナー部に取り付けて介装部材端面を隠し、コーナー部の見栄えを向上させることができるコーナー部材を提供する。【解決手段】キャビネットとカウンターとの間に配置される介装部材１５用のコーナー部材であって、コーナー部を構成する二つの介装部材１５，１５の対向する端面の間に配置される本体部２１と、本体部の一端部から各介装部材の第一の側面１５ａに沿うように突出した第一のフランジ部２２と、本体部の他端部から各介装部材の反対側の第二の側面１５ｂに沿うように突出した第二のフランジ部２３とを備えている。【選択図】図５
2008178561.tif 000002
【特許請求の範囲】
【請求項１】
キャビネットとカウンターとの間に配置される介装部材用のコーナー部材であって、コーナー部を構成する二つの介装部材の対向した端面の間に配置される本体部と、上記本体部の一端部から上記コーナー部を構成する各介装部材の第一の側面に沿うように突出した第一のフランジ部と、上記本体部の他端部から上記各介装部材の反対側の第二の側面に沿うように突出した第二のフランジ部とを備えていることを特徴とする、コーナー部材。
【請求項２】
前記第一のフランジ部と前記第二のフランジ部の何れにも係合可能であって取付孔を有する固定部をさらに備えていることを特徴とする、請求項１に記載のコーナー部材。
【請求項３】
高さが、前記介装部材の高さと同じ或いはそれより低いことを特徴とする、請求項１又は２に記載のコーナー部材。
【発明の詳細な説明】
【技術分野】
【０００１】
本発明は、キャビネットとカウンターとの間に配置される介装部材を備えたシステムキッチン等のシステム家具に係り、特に、キャビネットの上縁に沿って配置される介装部材が構成するコーナー部に取り付けられるコーナー部材に関するものである。
【背景技術】
【０００２】
複数のキャビネットやカウンターなどの構成品(ユニット)を設置場所で組み立てるようにしたシステム家具の中で、例えば台所用品を収納する複数個のキャビネットと、加熱調理器やシンクを配設していて上記キャビネットの上部に載置固定さるカウンターとで構成したシステムキッチンが広く普及している。例えば、特許文献１及び２に示すシステムキッチンは、キャビネットの上部でカウンターを確実に保持するために或いはカウンターを補強するために、キャビネットとカウンターとの間に断面が長方形状の角材を介装部材として配置している。このような介装部材は、通常、カウンターの前垂れや側面パネル等により覆われて外側から視認できないことを前提に設けられている。しかしながら、近年ではインテリア性や家族とのコミュニケーションの観点から、所謂対面型やアイランド型等のオープンカウンターキッチンが多く採用されており、さらにはバックガード，水返しや前垂れのないカウンターが使用されている。このため、介装部材の一部をシステムキッチンの外観部品として積極的に露出させてデザイン性を向上させたいという希望がある。
【０００３】
ところで、このような介装部材は、例えば矩形形状のキャビネットの上部外縁でフレーム状に組み合わせて構成されることがある。介装部材を相互に組み合わせるには、一般には釘やネジ等で介装部材同士を接合する手法がとられるが、ジョイント部材を用い、キャビネット上面の例えば隅角部で介装部材の端部をこのジョイント部材に連結することで介装部材のコーナー部が形成されることもある。
【０００４】
この種の公知のジョイント部材の一例を図７に示す。図７に示すコーナージョイント１は、角パイプ２，３を直角に接合することで断面Ｌ字形に形成されており、介装部材のような角柱に形成された部材４，５をこれら角パイプ２，３にそれぞれ挿入することにより角柱部材４，５が直角に接続される。
【０００５】
また、図８に示すように、角柱部材４，５の先端４ａ，５ａを細く加工することで、角柱部材４，５をコーナージョイント１に挿入したとき、角柱部材４，５の表面がコーナージョイント１の表面と面一になるようにする手法も知られている。
【特許文献１】特開平１１−３３２６７９号公報
【特許文献２】実開平０７−０１３２３７号公報
【発明の開示】
【発明が解決しようとする課題】
【０００６】
しかしながら、図７及び図８に示すコーナージョイント１では、角柱部材としての介装部材を受容するためにその形状が大きくなり、外部から観察した場合にコーナージョイント１が目に付き易く、システム家具の見栄えを損ねてしまう。また、図８に示す手法を二本の介装部材で形成されるコーナー部に適用する場合には、介装部材端面を所定寸法に切削しなければならず煩雑な加工が必要となる。
【０００７】
本発明は、以上の点に鑑みて創作されたものであり、簡単な構成により、介装部材同士で構成するコーナー部に取り付けて介装部材端面を隠し、コーナー部の見栄えを向上させることができるコーナー部材を提供することを目的としている。
【課題を解決するための手段】
【０００８】
上記目的を達成するために、本発明は、キャビネットとカウンターとの間に配置される介装部材用のコーナー部材であって、コーナー部を構成する二つの介装部材の対向する端面の間に配置される本体部と、本体部の一端部からコーナー部を構成する各介装部材の第一の側面に沿うように突出した第一のフランジ部と、本体部の他端部から上記各介装部材の反対側の第二の側面に沿うように突出した第二のフランジ部とを備えていることを特徴としている。
本発明のコーナー部材は、好ましくは、第一のフランジ部と第二のフランジ部の何れにも係合可能であって取付孔を有する固定部をさらに備えている。なお、本発明のコーナー部材の高さは、介装部材の高さと同一寸法又はそれより低い寸法に設定されている。
【発明の効果】
【０００９】
本発明によれば、一つの平面内で互いに角度をもって傾斜した端面が対向配置された二つの介装部材の端面間に、前記平面に対して垂直にコーナー部材の本体部が配置される。これにより、コーナー部材の両端から張り出したフランジ部によって、介装部材同士で構成されるコーナー部が覆われて介装部材端面が隠されることになるので、コーナー部における見栄えが向上するとともに、介装部材端が固定されることが可能になる。
【発明を実施するための最良の形態】
【００１０】
以下、図面に示した実施形態に基づいて本発明を詳細に説明する。
図１は本発明の実施形態に係るシステム家具としてのシステムキッチン１０を示している。このシステムキッチン１０は、基本的には、複数個並設したキャビネット１１とこれらのキャビネット１１上に配設したカウンター１２とで構成され、カウンター１２の上面には、左端付近にシンク１３が、また、右端付近には加熱調理部１４が、それぞれ配設されている。
【００１１】
キャビネット１１は、図１に示す例では、三個のベースキャビネット１１ａ，１１ｂ，１１ｃから構成されている。左端のベースキャビネット１１ａは、シンクキャビネットとして構成されており、カウンター１１のシンク孔１２ａに対応してカウンター１１の下面に取り付けたシンク１３を収容している。
【００１２】
カウンター１２は、細長い一枚の例えば人造大理石の板状部材から構成されており、上記シンク１３及び加熱調理部１４を受容するための開口、即ちシンク孔１２ａ及びコンロ孔が所定の位置に形成されている。カウンター上面において、シンク１３は、上端の開口縁がほぼ長方形状に形成されていて、例えばカウンターと同じ人造大理石によって構成されている。図示例のシステムキッチン１０では、シンク１３は所謂左勝手としてカウンター１２の左端付近に設けられ、カウンター１２の下面に接着等によって取り付けられている。また、加熱調理部１４は、例えばガスコンロ，ＩＨクッキングヒーター等であって、図１のシステムキッチン１０ではカウンター１２の右端付近に配置されている。
【００１３】
上記カウンター１２は、上記キャビネット１１上に配置された介装部材１５を介してキャビネット１１に載置固定されている。なお、符号１９は、キャビネット１０の側面に取り付けた化粧サイドパネルである。
【００１４】
ところで、上記介装部材１５は、ＰＳ（ポリスチレン）等のプラスチックによって四角柱状に構成されていて、図２に示すように、キャビネット１１の上面周縁及び互いに隣接するベースキャビネット１１ａ，１１ｂ，１１ｃの間の境界に沿って配置されている。なお、図２ではカウンター１２と化粧サイドパネル１９とを取り外した状態を示している。このような介装部材１５はその上に載置するカウンター１２を支持する。これにより、カウンター１２がキャビネット１１上面から上方へ所定高さ離間した位置に配設される。図３に示すように、システムキッチン１０の上端前縁において、カウンター１２の周縁部は介装部材１５よりも外側へ突出していると共に、その下面が平坦な水平部として構成されている。このような構成により介装部材１５の外面が露呈する。なお、カウンター１２の周縁を介装部材１５の外面と面一になるように構成してもよい。カウンター１２の後縁や左右の側縁も同様に構成されている。
上記のように構成された介装部材１５は、矩形形状のキャビネット１１の上部外縁で、直線状の棒材を組み合わせてフレーム状に配設される。介装部材１５をキャビネット上で相互に組み合わせるには、本実施の形態では、キャビネット１１の上面の例えば四隅で、隣り合う介装部材１５の端面同士を相互に対向させて当接させる。このため、介装部材１５の端面は例えばほぼ４５度に切り欠いた切断面をもつように傾斜して形成されており、介装部材１５の端面同士が当接されたときほぼ９０度の角度を有するコーナー部が形成されている。ここでいうコーナー部とは、キャビネット１１上のコーナーで隣接する介装部材１５同士によって構成される部位を言う。
【００１５】
介装部材１５の端面同士で構成される上記コーナー部にあって、図１及び図２において符号２０で示すように、コーナー部材が配設されている。本実施の形態では、このコーナー部材２０は、介装部材１５の当接する端面間に生じ得る隙間を隠し、同時にデザイン性を向上させるために、好ましくは介装部材１５の縦方向の厚み、即ち介装部材の高さと同程度の寸法を有する幅に形成されている。
【００１６】
コーナー部材２０は、図４（Ａ）及び（Ｂ）に示すように、垂直に起立した薄板状の本体部２１と、この本体部２１の長手方向の一端部２１ａに設けた第一のフランジ部２２と、本体部２１の長手方向の他端部２１ｂ、即ち一端部２１ａの反対側に位置する端部に設けた第二のフランジ部２３と、から構成されている。
【００１７】
第一のフランジ部２２は本体部２１の一端部２１ａから延出した一対の突片２２Ｌ，２２Ｒから構成され、第二のフランジ部２３は本体部２１の他端部２１ｂから延出した一対の突片２３Ｌ，２３Ｒから構成されている。
【００１８】
第一のフランジ部２２は本体部２１の外側において一対の突片２２Ｌ，２２Ｒが２７０度の角度αをなすように形成されており、第二のフランジ部２３は本体部２１の外側において一対の突片２３Ｌ，２３Ｒが９０度の角度βをなすように形成されている。
【００１９】
このコーナー部材２０は、本体部２１の長手方向に延びた側面２１ｃと平行な本体部２１を二分する仮想垂直面Ｘ（図４（Ｂ））を境に対称に形成されている。すなわち、各突片２２Ｌ，２２Ｒは本体部２１に対して同じ角度で一端部２１ａから同じ長さ分突出している。第二のフランジ部２３の一対の突片２３Ｌ，２３Ｒも同様に構成されている。また、図４（Ｂ）において、仮想垂直面Ｘの左側に位置する第一のフランジ部２２の突片２２Ｌと第二のフランジ部２３の突片２３Ｌとは平行に配設され、仮想垂直面Ｘの右側に位置する第一のフランジ部２２の突片２２Ｒと第二のフランジ部２３の突片２３Ｒとは平行に配設されている。従って、第一のフランジ部２２の先端側は矢印状に尖った凸部を形成している一方で、第二のフランジ部２３の先端側は左右両サイドに分岐して突出した角状に形成されている。なお、第一のフランジ部２２の突片と第二のフランジ部２３の突片とは長さが同じに設定されている。また、これらの突片は、介装部材１５の側面に沿うように延出している。
【００２０】
コーナー部材２０は、本体部２１とフランジ部２２，２３とを一体に押出し成形によって形成されており、それぞれ介装部材１５と同じ高さ、即ち介装部材１５の厚みと同じ例えば１７ｍｍ程度の高さを有する。コーナー部材２０の高さは介装部材１５の高さより低く設定されてもよい。このような高さにコーナー部材を設定することで、介装部材１５とカウンター１２及びキャビネット１１との間に隙間が生じることを防ぐことができる。
【００２１】
上記のように構成されたコーナー部材２０において、仮想垂直面Ｘの左側に位置する第一のフランジ部２２の突片２２Ｌと本体部２１と第二のフランジ部２３の突片２３Ｌとで画成される領域２５Ｌ内に、コーナー部を構成する一方の介装部材１５の切り欠かれて傾斜した端面が当接して収容される。同様に、仮想垂直面Ｘの右側に位置する第一のフランジ部２２の突片２２Ｒと本体部２１と第二のフランジ部２３の突片２３Ｒとで画成される領域２５Ｒ内に、コーナー部を構成する他の介装部材１５の傾斜した端面が当接して収容される。
【００２２】
さらに、本実施形態に係るコーナー部材２０は、図４（Ｃ）に示すように、固定部２４を備えている。固定部２４は、本体部２１及びフランジ部２２，２３とは別体に押出し成形によって、介装部材１５よりも低く、例えば１４ｍｍ程度の高さを有するように形成されている。この固定部２４は、第一のフランジ部２２と第二のフランジ部２３との何れにも係合可能なものであり、コーナー部材２０の第一のフランジ部２２または第二のフランジ部２３を抱え込むように内側に屈曲した一対の係合爪２４ａ，２４ａを備えている。
【００２３】
固定部２４の二つの係合爪２４ａは、第一のフランジ部２２の一対の突片２２Ｌ，２２Ｒが互いに内側になす角度γ、例えば直角か或いはそれより大きな角度をなすように延びていると共に、その先端に互いに内側に屈曲した屈曲部２４ｂを備えている。係合爪２４ａの長さは前述した各フランジ部２２，２３の突片の長さと同じか僅かに大きく選定されている。
【００２４】
さらに、固定部２４は係合爪２４ａの反対側に取付孔２４ｃを備えている。この固定部２４は取付孔２４ｃに挿通したネジ等によってキャビネット１１の上面に固定される。固定部２４がフランジ部２２，２３を把持した状態でキャビネット１１に固定されることで、本体部２１及びフランジ部２２，２３が一定位置に保持される。なお、固定部２４が、本体部２１及びフランジ部２２，２３より低く形成されているので、キャビネット１１との固定に用いたネジ等の頭部が本体部２１，フランジ部２２，２３の上面を越えて上方へ突出することはない。
【００２５】
本実施形態に係るシステムキッチン１０を組み立てる際に、カウンター１２は以下のようにしてキャビネット１１の上に取り付けられる。先ず、キャビネット１１の上面周縁及び個々のベースキャビネット１１ａ，１１ｂ，１１ｃの間の境界に沿って、介装部材１５をフレーム状に配置する。
【００２６】
その際、キャビネット１１の上面周縁に沿って配置される介装部材１５は、各コーナー部（出隅）で、略４５度に切断することで斜めに傾斜した端面が、図５に示すように、コーナー部材２０の領域２５Ｌ，２５Ｒに内設される。このとき、コーナー部材２０の第一のフランジ部２２の各突片２２Ｌ，２２Ｒは各介装部材１５の外側の側面１５ａ（第一の側面）に沿って延びており、第二のフランジ部２３の各突出２３Ｌ，２３Ｒは各介装部材１５の内側の側面１５ｂ（第二の側面）に沿って延びている。この後、固定部２４をその係合爪２４ａが第二のフランジ部２３に係合するように配置し、図示しない固定ネジでキャビネットに固定する。なお、介装部材１５，コーナー部材２０，固定部２４の配置順は特に限定されるものではなく、固定部２４，コーナー部材２０，介装部材１５の順番で配置しても良く、コーナー部材２０，固定部２４，介装部材１５の順序で配置しても良い。
【００２７】
その後、介装部材１５の上にカウンター１２が載置され、カウンター１２が介装部材１５を介してキャビネット１１上に保持される。よって、カウンター１２は適正な高さ位置に配設される。
【００２８】
このようにして組み立てられたシステムキッチン１０では、キャビネット１１とカウンター１２との間に露出している介装部材１５はその出隅において介装部材端部がコーナー部材２０の領域２５Ｌ，２５Ｒに収容され、介装部材の端面がコーナー部材２０の幅狭の第一のフランジ部２２で隠される。これにより、コーナー部材２０の存在があまり目立たず、外観上の見栄えが損なわれることなく、介装部材同士を係合することができる。
【００２９】
システムキッチン１０が例えばＬ字型に構成されている場合には、キャビネット１１の上面周縁に入隅が形成されることになる。この入隅において、キャビネット１１の上面周縁に沿って配置される介装部材１５は、斜めに傾斜した端面が図６に示すように、コーナー部材２０の第一のフランジ部２２と第二のフランジ部２３との間の空間に内設される。
【００３０】
コーナー部材２０は、その固定部２４を第一のフランジ部２２または第二のフランジ部２３に係合することによって、出隅にも入隅にも対応することができる。すなわち、出隅用と入隅用とで別部品を用意しておく必要がないことから、部品点数が少なくて済み、製造，在庫等のコストが低減される。
【００３１】
以上説明したが、本発明はその趣旨を逸脱しない範囲において様々な形態で実施をすることができる。例えば、介装部材１５がコーナー部で直角以外の鋭角または鈍角をなす場合であっても、この角度に合わせて張り出す第一のフランジ部及び第二のフランジ部を備えたコーナー部材を使用することによって、コーナー部を形成する二つの介装部材を互いに正確に角合わせして接合することができることは明白である。また、本発明は、システムキッチンに限らず、外部から視認できるようにキャビネットとカウンターとの間に介装部材を備えたカップボード，作業台、その他種々のシステム家具において、介装部材同士が構成するコーナーにも適用できる。介装部材の形状は図示例に限定されるものではなく、例えば、断面が凸字状、Ｌ字状、コ字状等であってもよい。
【図面の簡単な説明】
【００３２】
【図１】本発明の実施形態に係るシステムキッチンを示す斜視図である。
【図２】図１に示したシステムキッチンからカウンターを除いた状態を示す概略斜視図である。
【図３】図２に示すシステムキッチンのカウンター前縁付近の部分断面図である。
【図４】本発明の実施形態に係るコーナー部材を示し、（Ａ）は斜視図、（Ｂ）は平面図、（Ｃ）はその固定部の平面図である。
【図５】図４のコーナー部材を出隅用に組み合わせた状態を示す概略平面図である。
【図６】図４のコーナー部材を入隅用に組み合わせた状態を示す概略平面図である。
【図７】従来のコーナージョイントの一例の構成を示す概略斜視図である。
【図８】従来のコーナージョイントの他の例を示す概略斜視図である。
【符号の説明】
【００３３】
１０    システムキッチン
１１    キャビネット
１１ａ  シンクキャビネット
１２    カウンター
１２ａ  シンク孔
１３    シンク
１４    加熱調理部
１５    介装部材
１５ａ  介装部材の第一の側面
１５ｂ  介装部材の第二の側面
２０    コーナー部材
２１    本体部
２１ａ  一端部
２１Ｂ  他端部
２２    第一のフランジ部
２２Ｌ，２２Ｒ，２３Ｌ，２３Ｒ  突片
２３    第二のフランジ部
２４    固定部
２４ａ  係合爪
２４ｂ  屈曲部
２４ｃ  取付孔
２５Ｌ，２５Ｒ  領域
α，β，γ  角度
Ｘ  仮想垂直面
【図１】
2008178561.tif 000003
【図２】
2008178561.tif 000004
【図３】
2008178561.tif 000005
【図４】
2008178561.tif 000006
【図５】
2008178561.tif 000007
【図６】
2008178561.tif 000008
【図７】
2008178561.tif 000009
【図８】
2008178561.tif 000010